(57)【要約】【課題】自動清掃が可能な空気調和機のフィルター装置において、吸引力向上を簡素な構成で実現し、エアフィルターに付着する埃の清掃性能改善と低コスト化を図る。【解決手段】上部巻取り軸８ａと、下部巻取り軸８ｂと、上下部巻取り軸８ａ、８ｂ間に張設されたエアフィルター４ａ、４ｂと、エアフィルター４ｂの前面側に水平方向に可動する吸引口３ａを有する横長の吸引ノズル３と、吸引ノズル３に連結された吸引排気装置５とを備え、エアフィルター４ｂを着脱自在に構成したフィルター装置１を空気調和機に設けた。【選択図】図２
2008256298.tif 000002
【特許請求の範囲】
【請求項１】
送風回路と前記送風回路の中にフィルター装置を有する空気調和機であって、前記フィルター装置には、上部巻取り軸と、下部巻取り軸と、前記複数の巻取り軸間に張設されたエアフィルターと、前記エアフィルターの前面側に水平方向に可動する吸引口を有する横長の吸引ノズルと、前記吸引ノズルに連結された吸引排気装置とを備え、前記エアフィルターを着脱自在に構成したことを特徴とする空気調和機。
【請求項２】
エアフィルターを上部エアフィルターと下部エアフィルターとに分割して連結部で連結し、前記下部エアフィルターを集塵用として用い、前記上部エアフィルターを前記下部エアフィルターの引張用として用いることを特徴とする請求項１に記載の空気調和機。
【請求項３】
エアフィルターの連結部を着脱自在にして、下部エアフィルターをフィルター装置から着脱自在に構成したことを特徴とする請求項１または２に記載の空気調和機。
【請求項４】
吸引ノズルを着脱もしくは可動自在にしたことを特徴とする請求項１から３のいずれか１項に記載の空気調和機。
【請求項５】
エアフィルターの両端部近傍に連結部の両端を支持する案内溝を設けたことを特徴とする請求項１から４のいずれか１項に記載の空気調和機。
【請求項６】
下部エアフィルターの引張用部材として帯状のシート部材を用いたことを特徴とする請求項１から５のいずれか１項に記載の空気調和機。
【発明の詳細な説明】
【技術分野】
【０００１】
本発明は、エアフィルターの清掃を自動的に行うようにした空気調和機に関するものである。
【背景技術】
【０００２】
従来、空気調和機のフィルター装置は、熱交換器の前面に、空気調和機の本体内部へ埃が侵入することを防ぐためのエアフィルターが設けられており、このエアフィルターは付着した埃を手で清掃できるように着脱自在に構成されている。こうした構成でのフィルター装置は頻繁なメンテナンスが必要となるだけでなく、メンテナンスが行われるまでの間にはエアフィルターが除々に目詰まりしていき、その結果、熱交換器を通過する風量が低下し、空調能力が低下して消費電力の増大につながることとなる。
【０００３】
このため、エアフィルターのメンテナンスの手間を低減する目的で、エアフィルターに付着した埃を吸入する左右に移動可能な吸引ノズルを設け、吸引ノズルをＬ型にしてエアフィルターに接面させ、吸引ノズルの接面部に吸引口を設け、定期的に清掃する自動清掃装置が提案されていた（例えば、特許文献１参照）。
【特許文献１】特開２００５−１４０４０３号公報
【発明の開示】
【発明が解決しようとする課題】
【０００４】
しかしながら、前記従来の構成ではエアフィルターの前面でＬ型の吸引ノズルを左右に駆動する構成のため構造が複雑になりコストの増大や、また吸引口から吸引排気装置までの距離が長く、且つ、曲折したものとなるため圧力損失が大きく大型の吸引排気装置を必要とする課題があった。
【課題を解決するための手段】
【０００５】
前記従来の課題を解決するために、本発明は空気調和機のフィルター装置に上部巻取り軸と、下部巻取り軸と、前記複数の巻取り軸間に張設されたエアフィルターと、前記エアフィルターの前面側に水平方向に可動する吸引口を有する横長の吸引ノズルと、前記吸引ノズルに連結された吸引排気装置とを備え、前記エアフィルターを着脱自在に構成したものである。これにより、簡素な構成で吸引力の向上が図れ、また、エアフィルターのメンテナンス性も考慮したフィルター装置が提供できる。
【発明の効果】
【０００６】
本発明の空気調和機は、エアフィルターに付着した埃の自動清掃を簡素な構成で実現でき、且つ、吸引力の向上が図れるため、空気調和機の基本性能を損なうことなくフィルターの自動清掃を低コストで実現できるという効果が得られる。
【発明を実施するための最良の形態】
【０００７】
第１の発明は、送風回路と前記送風回路の中にフィルター装置を有する空気調和機であって、前記フィルター装置には、上部巻取り軸と、下部巻取り軸と、前記複数の巻取り軸間に張設されたエアフィルターと、前記エアフィルターの前面側に水平方向に可動する吸引口を有する横長の吸引ノズルと、前記吸引ノズルに連結された吸引排気装置とを備え、前記エアフィルターを着脱自在に構成したものである。この構成により、吸引口から吸引排気装置までの距離を短く、且つ、簡素に構成できるため圧力損失が低減でき吸引力の向上と低コスト化が図れる。さらに、エアフィルターに油分を含む埃が多量に付着残留したときなどのために、エアフィルターのメンテナンス性を考慮したものである。
【０００８】
第２の発明は、特に、第１の発明のフィルター装置において、エアフィルターを上部エアフィルターと下部エアフィルターとに分割して連結部で連結し、前記下部エアフィルターを集塵用として用い、前記上部エアフィルターを前記下部エアフィルターの引張用として用いる構成としたものである。この構成により、エアフィルターの着脱が容易となる。
【０００９】
第３の発明は、特に、第１または第２の発明のフィルター装置において、エアフィルターの連結部を着脱自在にして、下部エアフィルターをフィルター装置から着脱自在に構成したものである。この構成により、下部エアフィルターのみを着脱することができる。
【００１０】
第４の発明は、特に、第１から第３のいずれか１つの発明のフィルター装置において、吸引ノズルを着脱もしくは可動自在にしたものである。この構成により、下部エアフィルターの着脱が容易となるため、メンテナンス性の向上が図れる。
【００１１】
第５の発明は、特に、第１から第４のいずれか１つの発明のフィルター装置において、エアフィルターの両端部近傍に連結部の両端を支持する案内溝を設けたものである。この構成により、連結部は案内溝に沿って駆動するため、エアフィルターの上下動作の安定化が図れる。
【００１２】
第６の発明は、特に、第１から第５のいずれか１つの発明のフィルター装置において、下部エアフィルターの引張用部材として帯状のシート部材を用いたものである。この構成により、除菌や脱臭を目的とするフィルター部品などをエアフィルターの裏面側に収納する場合、それらの組付けおよび取外しが容易となる。
【００１３】
以下、本発明の実施の形態について、図面を参照しながら説明する。尚、この実施の形態によって本発明が限定されるものではない。
【００１４】
（実施の形態１）
図１は本発明の第１の実施の形態における空気調和機の正面図であり、図２は図１のＩ−Ｉにおける空気調和機の断面図である。図３は本発明の第１の実施の形態におけるフィルター装置の斜視図であり、図４はフィルター装置に設けた吸引ノズルの外観図である。
【００１５】
図２に示すように、空気調和機本体１１の内部には熱交換器９が設けられ、空気の流路となる風流路１５が形成されている。この風流路１５内にはファン１０が設けられ、本体１１の前面から上面に渡り形成される吸込口１６から吸い込み、吹出口１７から吹き出す空気の流れを発生させている。そして、本体１１の前面から上面に渡り形成される吸込口１６と熱交換器９の間にＬ字型の形状でフィルター装置１を配設しており、空気中に漂う埃はこのフィルター装置１で取り除かれる。
【００１６】
図３に示すように、フィルター装置１にはフィルターワク２と、フィルターワク２の上部に上部巻取り軸８ａと、下部に下部巻取り軸８ｂを配設し、上部巻取り軸８ａには上部エアフィルター４ａを、下部巻取り軸８ｂには下部エアフィルター４ｂを巻き付けて固定している。ここで、上部エアフィルター４ａは下部エアフィルター４ｂの上下動作時の引張用として用い、下部エアフィルター４ｂは集塵用として用いる。また、下部エアフィルター４ｂと下部巻取り軸８ｂはフィルターケース２２に収納し、フィルターケース２２はフィルターワク２に着脱自在に取付けている。そして、上部エアフィルター４ａの下端部には上部エアフィルター連結部２１ａが、下部エアフィルター４ｂの上端部には下部エアフィルター連結部２１ｂが設けてあり、これら連結部２１ａ、２１ｂは着脱自在に係合されている。また、上部巻取り軸８ａには巻取り軸駆動モーター７が、下部巻取り軸８ｂには着脱可能なクラッチ機構を含む駆動伝達手段２３を介して巻取り軸駆動モーター７が連
結されている。
【００１７】
また、フィルター装置１には、エアフィルター４ａ、４ｂの前面（風上）側に吸引ノズル３と、吸引ノズル３に連結した吸引排気装置５とを備えており、吸引ノズル３は、フィルターワク２に設けた支持部２４に回転自在に取付けられている。
【００１８】
吸引ノズル３には、図４に示すように吸引ノズル３の長手方向に巻き回されたフィルム３ｃを内蔵し、フィルム３ｃにはフィルム３ｃの駆動方向と略直角をなす方向に長辺を有する長方形の吸引口３ａと吸引口３ａの近傍にブラシ部材３ｂを設け、フィルム駆動モーター６によりフィルムを回転駆動させることで、吸引口３ａとブラシ部材３ｂを左右方向に移動可能にしたものである。
【００１９】
このように構成されたフィルター装置１の動作について説明する。空気調和機本体１１の運転中は、上部エアフィルター４ａは上部巻取り軸８ａに全て巻き取られており、本体１１に吸込まれる空気中に含まれる埃は下部エアフィルター４ｂで集塵される。
【００２０】
空気調和機本体１１の運転停止後に、吸引排気装置５が運転開始し、エアフィルター４の片側端に位置していた吸引口３ａ及びブラシ部材３ｂが、フィルム駆動モーター６によって、図４に示すようにＢの矢印方向に移動し、下部エアフィルター４ｂの前面側に付着した埃を掻き取りながら吸引口３ａから吸い取り、埃は吸引排気装置５に吸引され、排気ホース（図示せず）を通り屋外へ排出される。そして、吸引口３ａが、対向する片側端まで移動したときにフィルム駆動モーター６を逆回転させれば、吸引口３ａは初期の位置に戻る。ここで、巻取り軸駆動モーター７が駆動し、巻取り軸８ｂによりエアフィルター４ｂを巻き回し、埃の付着した部分を吸引口３ａに位置させ再びフィルム駆動モーター６により吸引口３ａ及びブラシ部材３ｂが図２に示すようにＢの矢印方向に移動する。再び、吸引口３ａが、対向する片側端まで移動したときにフィルム駆動モーター６を逆回転させ、吸引口３ａは初期の位置に戻る。以上の動作を繰り返し下部エアフィルター４ｂの全面を自動で清掃することが可能となる。
【００２１】
図５は下部エアフィルター４ｂの着脱時の状態を示した図である。油分を含む空気を長期間吸込み、エアフィルターに油分を含む埃が多量に付着残留したときなどエアフィルターのメンテナンスが必要な場合、上下部エアフィルター連結部２１ａ、２１ｂを吸引ノズル３の背面まで移動させた状態で本体１１を運転停止させ、吸引ノズル３を回転させて持ち上げ、連結部２１ａと２１ｂを離脱して下部エアフィルター４ｂをフィルターケース２２ごと取り外す。そして取り外した下部エアフィルター４ｂは、水洗いもしくは新品に交換して逆の順序で装着する。
【００２２】
図６は上下部エアフィルター連結部２１ａ、２１ｂの左端部を示した図である。この図に示すように連結部２１ａ、２１ｂの両側端にはボス部２８が設けてあり、このボス部２８はフィルターワク２に設けた案内溝２５に摺動可能なように保持され、上下部エアフィルター４ａ、４ｂの上下動作の安定化を図っている。尚、連結部２１ａ、２１ｂの両側端に設けたボス部２８にローラを設けても構わない。
【００２３】
以上のような構成により、吸引口３ａから吸引排気装置５までの距離を短く、且つ、簡素に構成できるため圧力損失が低減でき吸引力の向上が図れるとともに、エアフィルターのメンテナンスも容易に行える。
【００２４】
（実施の形態２）
図７は、本発明の第２の実施の形態におけるフィルター装置１の斜視図である。
【００２５】
以下の説明において、実施の形態１の説明と重複する空気調和機本体１１およびフィルター装置１の構成、動作に関する説明は省略する。
【００２６】
図７に示すように、下部エアフィルター４ｂの引張用部材として、帯状のシート部材２６を用いたものである。シート部材２６としては薄くて強度のあるフィルムやテープや布、あるいはフィルターを短冊状に加工して用いる。
【００２７】
この構成により、除菌や脱臭を目的とするフィルター部品などをエアフィルターの裏面側に収納する場合、それらの組付けおよび取外しを容易に行うことができる。
【産業上の利用可能性】
【００２８】
以上のように、本発明にかかる空気調和機は、エアフィルターに付着した埃の自動清掃を簡素な構成で実現でき、且つ、吸引力の向上が図れるため、エアフィルターを備えた空調機器、空気清浄機、送風機器などに広く適用できる。
【図面の簡単な説明】
【００２９】
【図１】本発明の実施の形態１における一実施例を示す空気調和機の正面図
【図２】本発明の実施の形態１における一実施例を示す空気調和機の断面図（図１のＩ−Ｉ断面）
【図３】本発明の実施の形態１における一実施例を示すフィルター装置の斜視図
【図４】本発明の実施の形態１における一実施例を示す吸引ノズルの外観図
【図５】本発明の実施の形態１における一実施例を示す下部エアフィルター着脱時の斜視図
【図６】本発明の実施の形態１における一実施例を示すエアフィルター連結部の左端部の拡大図
【図７】本発明の実施の形態２における構成の一実施例を示すフィルター装置の斜視図
【符号の説明】
【００３０】
１  フィルター装置
２  フィルターワク
３  吸引ノズル
３ａ  吸引口
４ａ  上部エアフィルター
４ｂ  下部エアフィルター
５  吸引排気装置
８ａ  上部巻取り軸
８ｂ  下部巻取り軸
９  熱交換器
１０  ファン
１１  本体
１５  風流路
１６  吸込口
１７  吹出口
【図１】
2008256298.tif 000003
【図２】
2008256298.tif 000004
【図３】
2008256298.tif 000005
【図４】
2008256298.tif 000006
【図５】
2008256298.tif 000007
【図６】
2008256298.tif 000008
【図７】
2008256298.tif 000009